(57)【要約】【課題】人口密集地点の周辺のセルの境界における多数の移動通信端末からの位置登録要求に伴い、移動登録トラヒックが増大することを回避するエリア情報送信装置、エリア情報送信方法、プログラム、及びシステムを提供することである。【解決手段】エリア情報送信装置１１０であって、エリア情報格納部と、位置登録要求受信部と、判定部と、判定部が、一致するエリア情報が格納されていると判定した場合に、エリア情報と共に、人口密集地点に関連する情報として対応づけられた他のエリア情報を抽出するエリア情報抽出部と、エリア情報抽出部が抽出したエリア情報のうち、少なくとも、位置登録要求を中継した基地局装置１５０のエリア情報と、人口密集地点を通信範囲内に含む基地局装置１５０ａのエリア情報とを、移動通信端末１４０に送信すべきエリア情報として出力するエリア情報出力部とを備える。【選択図】図１
2010245867.tif 000002
【特許請求の範囲】
【請求項１】
移動通信端末からの位置登録要求に応答してエリア情報を送信するエリア情報送信装置であって、
各基地局装置が前記移動通信端末と通信できるエリアを識別するエリア情報を格納するエリア情報格納部であって、人口密集地点に近い前記基地局装置のエリア情報と、当該基地局装置のエリア情報が示す通信範囲と隣接する通信範囲をカバーする複数の他の基地局装置のエリア情報とを、前記人口密集地点に関連するエリア情報として対応づけて格納するエリア情報格納部と、
前記移動端末から位置登録要求を受信する位置登録要求受信部と、
前記位置登録要求を中継した基地局装置のエリア情報と一致するエリア情報が、前記エリア情報格納部が格納しているエリア情報の中に、前記人口密集地点に関連する情報として格納されているか否か判定する判定部と、
前記判定部が、一致するエリア情報が格納されていると判定した場合に、当該エリア情報と共に、前記人口密集地点に関連する情報として対応づけられた他のエリア情報を抽出するエリア情報抽出部と、
前記エリア情報抽出部が抽出したエリア情報のうち、少なくとも、前記位置登録要求を中継した基地局装置のエリア情報と、前記人口密集地点を通信範囲内に含む基地局装置のエリア情報とを、前記移動通信端末に送信すべきエリア情報として出力するエリア情報出力部と
を備えるエリア情報送信装置。
【請求項２】
前記エリア情報格納部は、人口密集地点に近い前記基地局装置のエリア情報と、当該基地局装置のエリア情報が示す通信範囲と隣接する通信範囲をカバーする複数の他の基地局装置のエリア情報とを、前記人口密集地点に関連するエリア情報として対応づけるにあたり、前記人口密集地点に人が密集する時間帯を指定して対応づけて格納しており、
前記判定部は、前記位置登録要求受信部が前記位置登録要求を受信した日時を包含する前記時間帯を指定して対応づけられた前記エリア情報を対象として前記判定を行う
請求項１に記載のエリア情報送信装置。
【請求項３】
移動通信端末からの位置登録要求に応答してエリア情報を送信するエリア情報送信方法であって、
各基地局装置が移動通信端末と通信できるエリアを識別するエリア情報を格納するエリア情報格納部であって、人口密集地点に近い前記基地局装置のエリア情報と、当該基地局装置のエリア情報が示す通信範囲と隣接する通信範囲をカバーする複数の他の基地局装置のエリア情報とを、前記人口密集地点に関連するエリア情報として対応づけてエリア情報格納部に格納するエリア情報格納ステップと、
前記移動端末から位置登録要求を受信する位置登録要求受信ステップと、
前記位置登録要求を中継した基地局装置のエリア情報と一致するエリア情報が、前記エリア情報格納部が格納しているエリア情報の中に、前記人口密集地点に関連する情報として格納されているか否か判定する判定ステップと、
前記判定部において、一致するエリア情報が格納されていると判定された場合に、当該エリア情報と共に、前記人口密集地点に関連する情報として対応づけられた他のエリア情報を抽出するエリア情報抽出ステップと、
前記抽出ステップにおいて抽出されたエリア情報のうち、少なくとも、前記位置登録要求を中継した基地局装置のエリア情報と、前記人口密集地点を通信範囲内に含む基地局装置のエリア情報とを、前記移動通信端末に送信すべきエリア情報として出力するエリア情報出力ステップと
を備えるエリア情報送信方法。
【請求項４】
移動通信端末からの位置登録要求に応答してエリア情報を送信するエリア情報送信装置用のプログラムであって、前記エリア情報送信装置を、
各基地局装置が前記移動通信端末と通信できるエリアを識別するエリア情報を格納するエリア情報格納部であって、人口密集地点に近い前記基地局装置のエリア情報と、当該基地局装置のエリア情報が示す通信範囲と隣接する通信範囲をカバーする複数の他の基地局装置のエリア情報とを、前記人口密集地点に関連するエリア情報として対応づけて格納するエリア情報格納部、
前記移動端末から位置登録要求を受信する位置登録要求受信部、
前記位置登録要求を中継した基地局装置のエリア情報と一致するエリア情報が、前記エリア情報格納部が格納しているエリア情報の中に、前記人口密集地点に関連する情報として格納されているか否か判定する判定部、
前記判定部が、一致するエリア情報が格納されていると判定した場合に、当該エリア情報と共に、前記人口密集地点に関連する情報として対応づけられた他のエリア情報を抽出するエリア情報抽出部、
前記エリア情報抽出部が抽出したエリア情報のうち、少なくとも、前記位置登録要求を中継した基地局装置のエリア情報と、前記人口密集地点を通信範囲内に含む基地局装置のエリア情報とを、前記移動通信端末に送信すべきエリア情報として出力するエリア情報出力部
として機能させるプログラム。
【請求項５】
位置登録要求を行う移動通信端末と、
前記移動通信端末からの位置登録要求に応答してエリア情報を送信するエリア情報送信装置と
を備えるシステムであって、
前記エリア情報送信装置は、
各基地局装置が前記移動通信端末と通信できるエリアを識別するエリア情報を格納するエリア情報格納部であって、人口密集地点に近い前記基地局装置のエリア情報と、当該基地局装置のエリア情報が示す通信範囲と隣接する通信範囲をカバーする複数の他の基地局装置のエリア情報とを、前記人口密集地点に関連するエリア情報として対応づけて格納するエリア情報格納部と、
前記移動端末から位置登録要求を受信する位置登録要求受信部と、
前記位置登録要求を中継した基地局装置のエリア情報と一致するエリア情報が、前記エリア情報格納部が格納しているエリア情報の中に、前記人口密集地点に関連する情報として格納されているか否か判定する判定部と、
前記判定部が、一致するエリア情報が格納されていると判定した場合に、当該エリア情報と共に、前記人口密集地点に関連する情報として対応づけられた他のエリア情報を抽出するエリア情報抽出部と、
前記エリア情報抽出部が抽出したエリア情報のうち、少なくとも、前記位置登録要求を中継した基地局装置のエリア情報と、前記人口密集地点を通信範囲内に含む基地局装置のエリア情報とを、前記移動通信端末に送信すべきエリア情報として出力するエリア情報出力部と
を有するシステム。
【発明の詳細な説明】
【技術分野】
【０００１】
本発明は、移動通信端末からの位置登録要求に応答してエリア情報を送信するエリア情報送信装置及びエリア情報送信方法、位置登録エリア送信装置用のプログラム、及びエリア情報送信装置を含むシステムに関する。
【背景技術】
【０００２】
セル方式による移動通信システムでは、固定電話と違って移動通信端末そのものが空間的に移動するため、移動通信端末がどこにいるのかをネットワーク側で常に把握していないと接続を自動的に行うことができない。そのために、移動通信端末は、基地局装置から送られる信号に基づき、自端末がどのセルのエリア内に位置するかを示すエリア情報をネットワーク側のサーバ等に登録する。
【０００３】
その後、ロケーションエリア変更を検知した場合、移動通信端末は、自端末内のエリア情報をネットワーク側のサーバ等に登録する。移動通信端末は、電源オフ後、再び電源をオンにした場合、そのときの基地局装置からの信号によって再び自端末内のエリア情報と比較し、違う場合はエリア情報をネットワーク側のサーバ等に登録する。
【０００４】
このように、セル方式による移動通信システムでは、複数のセルからなる登録エリア単位で位置登録を行うが、その境界では受信レベル変動にともなって位置登録の切り替えが生じる。特に、イベント等が開催されるイベント開催施設等の人口密集地点の周辺のセルの境界では、移動通信端末を携帯した多数のユーザが往来するため、全体として位置登録の切り替えが頻繁に行われることになる。
【先行技術文献】
【特許文献】
【０００５】
【特許文献１】特開２００４−２７４１７４号公報
【発明の概要】
【発明が解決しようとする課題】
【０００６】
しかしながら、セル方式による移動通信システムでは、上記のような人口密集地点の周辺のセルの境界で発生する多数の移動通信端末からの位置登録要求を低減させるような手段が講じられていないため、移動登録トラヒックが増大してしまうという問題がある。
【０００７】
本発明は、上記事情を考慮してなされたもので、その目的とする所は、人口密集地点の周辺のセルの境界における多数の移動通信端末からの位置登録要求に伴い、移動登録トラヒックが増大することを回避するエリア情報送信装置、エリア情報送信方法、プログラム、及びシステムを提供することである。
【課題を解決するための手段】
【０００８】
上記課題を解決するために、本発明のエリア情報送信装置によると、移動通信端末からの位置登録要求に応答してエリア情報を送信するエリア情報送信装置であって、各基地局装置が前記移動通信端末と通信できるエリアを識別するエリア情報を格納するエリア情報格納部であって、人口密集地点に近い前記基地局装置のエリア情報と、当該基地局装置のエリア情報が示す通信範囲と隣接する通信範囲をカバーする複数の他の基地局装置のエリア情報とを、前記人口密集地点に関連するエリア情報として対応づけて格納するエリア情報格納部と、前記移動端末から位置登録要求を受信する位置登録要求受信部と、前記位置登録要求を中継した基地局装置のエリア情報と一致するエリア情報が、前記エリア情報格納部が格納しているエリア情報の中に、前記人口密集地点に関連する情報として格納されているか否か判定する判定部と、前記判定部が、一致するエリア情報が格納されていると判定した場合に、当該エリア情報と共に、前記人口密集地点に関連する情報として対応づけられた他のエリア情報を抽出するエリア情報抽出部と、前記エリア情報抽出部が抽出したエリア情報のうち、少なくとも、前記位置登録要求を中継した基地局装置のエリア情報と、前記人口密集地点を通信範囲内に含む基地局装置のエリア情報とを、前記移動通信端末に送信すべきエリア情報として出力するエリア情報出力部とを備える。
【０００９】
本発明のエリア情報送信方法によると、移動通信端末からの位置登録要求に応答してエリア情報を送信するエリア情報送信方法であって、各基地局装置が移動通信端末と通信できるエリアを識別するエリア情報を格納するエリア情報格納部であって、人口密集地点に近い前記基地局装置のエリア情報と、当該基地局装置のエリア情報が示す通信範囲と隣接する通信範囲をカバーする複数の他の基地局装置のエリア情報とを、前記人口密集地点に関連するエリア情報として対応づけてエリア情報格納部に格納するエリア情報格納ステップと、前記移動端末から位置登録要求を受信する位置登録要求受信ステップと、前記位置登録要求を中継した基地局装置のエリア情報と一致するエリア情報が、前記エリア情報格納部が格納しているエリア情報の中に、前記人口密集地点に関連する情報として格納されているか否か判定する判定ステップと、前記判定部において、一致するエリア情報が格納されていると判定された場合に、当該エリア情報と共に、前記人口密集地点に関連する情報として対応づけられた他のエリア情報を抽出するエリア情報抽出ステップと、前記抽出ステップにおいて抽出されたエリア情報のうち、少なくとも、前記位置登録要求を中継した基地局装置のエリア情報と、前記人口密集地点を通信範囲内に含む基地局装置のエリア情報とを、前記移動通信端末に送信すべきエリア情報として出力するエリア情報出力ステップとを備える。
【００１０】
本発明のプログラムによると、移動通信端末からの位置登録要求に応答してエリア情報を送信するエリア情報送信装置用のプログラムであって、前記エリア情報送信装置を、各基地局装置が前記移動通信端末と通信できるエリアを識別するエリア情報を格納するエリア情報格納部であって、人口密集地点に近い前記基地局装置のエリア情報と、当該基地局装置のエリア情報が示す通信範囲と隣接する通信範囲をカバーする複数の他の基地局装置のエリア情報とを、前記人口密集地点に関連するエリア情報として対応づけて格納するエリア情報格納部、前記移動端末から位置登録要求を受信する位置登録要求受信部、前記位置登録要求を中継した基地局装置のエリア情報と一致するエリア情報が、前記エリア情報格納部が格納しているエリア情報の中に、前記人口密集地点に関連する情報として格納されているか否か判定する判定部、前記判定部が、一致するエリア情報が格納されていると判定した場合に、当該エリア情報と共に、前記人口密集地点に関連する情報として対応づけられた他のエリア情報を抽出するエリア情報抽出部、前記エリア情報抽出部が抽出したエリア情報のうち、少なくとも、前記位置登録要求を中継した基地局装置のエリア情報と、前記人口密集地点を通信範囲内に含む基地局装置のエリア情報とを、前記移動通信端末に送信すべきエリア情報として出力するエリア情報出力部として機能させる。
【００１１】
本発明のシステムによると、位置登録要求を行う移動通信端末と、前記移動通信端末からの位置登録要求に応答してエリア情報を送信するエリア情報送信装置とを備えるシステムであって、前記エリア情報送信装置は、各基地局装置が前記移動通信端末と通信できるエリアを識別するエリア情報を格納するエリア情報格納部であって、人口密集地点に近い前記基地局装置のエリア情報と、当該基地局装置のエリア情報が示す通信範囲と隣接する通信範囲をカバーする複数の他の基地局装置のエリア情報とを、前記人口密集地点に関連するエリア情報として対応づけて格納するエリア情報格納部と、前記移動端末から位置登録要求を受信する位置登録要求受信部と、前記位置登録要求を中継した基地局装置のエリア情報と一致するエリア情報が、前記エリア情報格納部が格納しているエリア情報の中に、前記人口密集地点に関連する情報として格納されているか否か判定する判定部と、前記判定部が、一致するエリア情報が格納されていると判定した場合に、当該エリア情報と共に、前記人口密集地点に関連する情報として対応づけられた他のエリア情報を抽出するエリア情報抽出部と、前記エリア情報抽出部が抽出したエリア情報のうち、少なくとも、前記位置登録要求を中継した基地局装置のエリア情報と、前記人口密集地点を通信範囲内に含む基地局装置のエリア情報とを、前記移動通信端末に送信すべきエリア情報として出力するエリア情報出力部とを有する。
【発明の効果】
【００１２】
以上の説明から明らかなように、本発明によれば、人口密集地点の周辺のセルの境界における多数の移動通信端末からの位置登録要求に伴い、移動登録トラヒックが増大することを回避することができる。
【図面の簡単な説明】
【００１３】
【図１】一実施形態に係る移動通信システム１００の利用環境の一例を示す図である。
【図２】エリア情報送信サーバ１３０のブロック構成の一例を示す図である。
【図３】エリア情報格納部１３１が格納しているデータの一例をテーブル形式で示す図である。
【図４】エリア情報送信サーバ１３０が位置登録要求を処理する処理フローの一例を示す図である。
【発明を実施するための形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、一実施形態に係る移動通信システム１００の利用環境の一例を示す。
移動通信システム１００は、エリア情報送信装置１１０、複数の基地局装置１５０ａ〜ｇ（以下、基地局装置１５０と総称する。）、及び複数の移動通信端末１４０ａ〜ｈ（以下、移動通信端末１４０と総称する。）を備える。
【００１６】
エリア情報送信装置１１０は、エリア情報送信サーバ１３０、及びエリア情報格納部１３１有する。エリア情報送信サーバ１３０は、基地局装置１５０に接続されており、基地局装置１５０に無線接続された移動通信端末１４０に、エリア情報を送信する。具体的には、エリア情報送信サーバ１３０は、基地局装置１５０を介して移動通信端末１４０から位置登録要求を受け付ける。そして、エリア情報送信サーバ１３０は、この更新要求に対して、エリア情報を生成して送信する。
【００１７】
エリア情報格納部１３１は、基地局装置１５０が移動通信端末１４０と通信できるエリアを識別するエリア情報を格納するものであって、人口密集地点に近い基地局装置１５０のエリア情報と、基地局装置１５０のエリア情報が示す通信範囲と隣接する通信範囲をカバーする複数の他の基地局装置１５０のエリア情報とを、人口密集地点に関連するエリア情報として対応づけて格納する。
【００１８】
移動通信端末１４０は、例えば携帯電話、ＰＤＡ等の、移動体通信で使用することができる移動通信端末である。また、移動通信端末１４０は、在圏する位置登録エリアから他の位置登録エリアへ移動する際に、エリア情報送信サーバ１３０に対して位置登録要求を行う。
【００１９】
基地局装置１５０ａ〜ｇは、図中、点線で示すように、それぞれカバーする範囲の異なる位置登録エリアを有する。本実施形態では、基地局装置１５０ｂ〜ｇが基地局装置１５０ａがカバーする位置登録エリアの周囲を取り囲むような位置登録エリアを提供するように配設されている。そして、基地局装置１５０ａがカバーする位置登録エリア内にイベント開催施設１６０が位置する。
【００２０】
以下、本実施形態では、人口密集地点として、イベントが開催されるイベント開催施設１６０を例にとって説明する。それに伴い、移動通信端末１４０を携帯するユーザは、イベント開催施設１６０へ向かって移動しているか、イベント開催施設１６０から離れるように移動するものとして説明する。
【００２１】
図２は、エリア情報送信サーバ１３０のブロック構成の一例を示す。
エリア情報送信サーバ１３０は、位置登録要求受信部１３２、判定部１３３、エリア情報抽出部１３４、エリア情報出力部１３５を備える。位置登録要求受信部１３２は、移動端末１４０から位置登録要求を受信する。判定部１３３は、位置登録要求を中継した基地局装置１５０のエリア情報と一致するエリア情報が、エリア情報格納部１３１が格納しているエリア情報の中に、人口密集地点に関連する情報として格納されているか否か判定する。
【００２２】
エリア情報抽出部１３４は、判定部１３３が、一致するエリア情報が格納されていると判定した場合に、このエリア情報と共に、人口密集地点に関連する情報として対応づけられた他のエリア情報を抽出する。エリア情報抽出部１３６は、エリア情報抽出部１３４が抽出したエリア情報のうち、少なくとも、位置登録要求を中継した基地局装置１５０のエリア情報と、人口密集地点を通信範囲内に含む基地局装置１５０のエリア情報とを、移動通信端末１４０に送信すべきエリア情報として出力する。
【００２３】
図３は、エリア情報格納部１３１が格納しているデータの一例をテーブル形式で示す。
エリア情報格納部１３１は、各基地局装置が移動通信端末１４０と通信できるエリアを識別するエリア情報、そのエリア情報が示す範囲内でイベントを開催するイベント開催施設の有無、及びそのイベント開催施設で開催されるイベントの開始日時と終了日時の組合せに対応づけて、そのエリア情報が示す通信範囲と隣接する通信できるエリアを識別する１以上のエリア情報を格納する。
【００２４】
なお、イベント開催施設の有無、及びイベントの開始日時と終了日時の各フィールドの内容は、エリア情報送信装置１１０において管理者が自由に入力することができる。例えば、管理者は、イベント開催施設の緯度と経度をイベント開催施設の位置情報として入力するだけで、イベント開催施設の有無がエリア情報格納部１３１に登録される際に、入力された位置情報を基に、その位置を包含する通信できるエリアを識別するエリア情報が自動的に特定され、そのエリア情報に対応づけられたイベント開催施設の有無のフィールドに、イベント開催施設があることを示す内容が登録されるようにする。
【００２５】
なお、本図の例では、エリア情報格納部１３１は、エリア情報「エリアａ」に対応づけて、エリア内イベント開催施設「あり」、イベント開始日時「２００９／９／２８  １０：００」、イベント終了日時「２００９／９／２８  １８：３０」、隣接エリア情報１「エリアｂ」、隣接エリア情報２「エリアｃ」、隣接エリア情報３「エリアｄ」を格納している。ところで、エリア情報格納部１３１は、エリア情報「エリアｂ」に対応づけて、隣接エリア情報１「エリアａ」を格納している。
【００２６】
このような場合、判定部１３３は、位置登録要求を中継した基地局装置が基地局装置１５０ｂであった場合、基地局装置１５０ｂのエリア情報と一致するエリア情報「エリアｂ」のうち、エリア内イベント開催施設のフィールドに「あり」と登録されているレコード内のエリア情報「エリアｂ」と一致すれば、エリア情報「エリアｂ」と共に、レコード内の他のエリア情報「エリアａ」、「エリアｃ」、「エリアｄ」を抽出する。
【００２７】
このような構成によって、本実施形態の移動通信システム１００におけるエリア情報送信装置１１０は、各基地局装置１５０が移動通信端末１４０と通信できるエリアを識別するエリア情報を格納するエリア情報格納部１３１に、イベント開催施設１６０に近い基地局装置１５０ａのエリア情報と、基地局装置１５０ａのエリア情報が示す通信範囲と隣接する通信範囲をカバーする複数の他の基地局装置１５０ｂ〜ｇのエリア情報とを、イベント開催施設１６０に関連するエリア情報として対応づけて格納し、移動端末１４０から位置登録要求を受信し、位置登録要求を中継した基地局装置１５０のエリア情報と一致するエリア情報が、エリア情報格納部１３１が格納しているエリア情報の中に、イベント開催施設１６０に関連する情報として格納されているか否か判定し、一致するエリア情報が格納されていると判定された場合に、そのエリア情報と共に、イベント開催施設１６０に関連する情報として対応づけられた他のエリア情報を抽出し、抽出されたエリア情報のうち、少なくとも、位置登録要求を中継した基地局装置１５０のエリア情報と、イベント開催施設１６０を通信範囲内に含む基地局装置１５０ａのエリア情報とを、移動通信端末１４０に送信すべきエリア情報として出力する。
【００２８】
このように、本実施形態の移動通信システム１００におけるエリア情報送信装置１１０によれば、イベント施設１６０のような人口密集地点の周辺を移動するユーザが携帯する移動通信端末１４０からの位置登録要求に対し、複数のエリア情報をまとめて送信して登録させることができるので、多数の移動通信端末１４０からの頻繁な位置登録要求を回避することができる。
【００２９】
図４は、エリア情報送信サーバ１３０が位置登録エリアを処理する処理フローの一例を示す。
以下の処理フローの説明では、移動通信端末１４０ｅが基地局装置１５０ｂが提供する通信範囲内に進入したときに、位置登録要求を行うことを想定して説明する。
【００３０】
まず、エリア情報送信サーバ１３０の位置登録要求受信部１３２は、移動端末１４０ｅからの位置登録要求を、基地局装置１５０ｂを介して受信する（Ｓ１０１）。次に、エリア情報送信サーバ１３０の判定部１３２は、エリア情報格納部１３１を参照して、その中に移動端末１４０ｅからの位置登録要求を中継した基地局装置１５０ｂのエリア情報であるエリア情報「エリアｂ」と一致するエリア情報が、イベント開催施設１６０が「あり」と登録されたレコードの中にあるか否かを判定する（Ｓ１０２）。なお、判定部１３２は、位置登録要求受信部１３２が位置登録要求を受信した日時がイベント開催日時からイベント開催終了日時までの間に適合する場合にのみ、エリア情報「エリアｂ」と一致する情報が登録されている判定結果を出力する。
【００３１】
次に、エリア情報送信サーバ１３０のエリア情報抽出部１３４は、判定部１３３が一致するエリア情報が登録されていないとする判定結果を出力した場合（Ｓ１０２：Ｎｏ）、エリア情報「エリアｂ」だけを、移動通信端末１４０ｅに送信すべきエリア情報として出力する（Ｓ１０３）。本実施形態の場合、基地局装置１５０ｂが提供する通信範囲と隣接する通信範囲内にイベント開催施設１６０が存在するので、判定部１３３は、エリア情報「エリアｂ」と一致する情報が登録されているとの判定結果を出力することとなり、Ｓ１０３の処理には進まず、以下の処理に進むこととなる。
【００３２】
エリア情報送信サーバ１３０のエリア情報抽出部１３４は、判定部１３３が一致する情報がありとの判定結果を出力した場合（Ｓ１０２：Ｙｅｓ）、エリア情報「エリアｂ」と一致するフィールドを含み、エリア内イベント開催施設「あり」と登録されたレコードに含まれる全てのエリア情報を抽出する（Ｓ１０４）。本実施形態では、エリア情報「エリアａ」、エリア情報「エリアｂ」、エリア情報「エリアｃ」、エリア情報「エリアｄ」、エリア情報「エリアｅ」、エリア情報「エリアｆ」、及びエリア情報「エリアｇ」を抽出する。
【００３３】
次に、エリア情報送信サーバ１３０のエリア情報出力部１３５は、抽出部１３４が抽出したエリア情報のうち、少なくとも、位置登録要求を中継した基地局装置１５０ｂのエリア情報「エリアｂ」と、イベント開催施設１６０を通信範囲内に含む基地局装置１５０ａのエリア情報「エリアａ」とを、移動通信端末１４０ｅに送信すべきエリア情報として出力する（Ｓ１０５）。また、出力部１３５は、エリア情報「エリアｂ」とエリア情報「エリアａ」の他に、エリア情報「エリアｂ」〜エリア情報「エリアｇ」のうち、いくつかのエリア情報を加えて、移動通信端末１４０ｅに送信すべきエリア情報として出力するようにしてもよい。
【００３４】
このようにして、エリア情報送信サーバ１３０からイベント開催施設１６０の周辺の複数のエリア情報を受信した移動通信端末１４０ｅは、その受信した複数のエリア情報がそれぞれ示す通信範囲内を移動する間は、位置登録を更新する必要がなくなる。同様に、エリア情報送信サーバ１３０は、イベント開催施設１６０へ向かって移動するユーザが携帯する移動通信端末１４０、あるいは、イベント開催施設１６０から離散するように移動するユーザが携帯する移動通信端末１４０に対し、複数のエリア情報を送信する。したがって、本実施形態の移動通信システム１００では、イベント施設１６０の周辺における多数の移動通信端末１４０からの位置登録要求に伴い、移動登録トラヒックが増大することを回避することができる。
【００３５】
上述のエリア情報送信装置１１０は、内部にコンピュータシステムを有している。そして、上述したエリア情報送信の過程は、プログラムの形式でコンピュータ読み取り可能な記録媒体に記憶されており、このプログラムをコンピュータが読み出して実行することによって、上記処理が行われる。ここで、コンピュータ読み取り可能な記録媒体とは、磁気ディスク、光磁気ディスク、ＣＤ−ＲＯＭ、ＤＶＤ−ＲＯＭ、半導体メモリ等をいう。
【００３６】
また、このコンピュータプログラムを通信回線によってコンピュータに配信し、この配信を受けたコンピュータが当該プログラムを実行するようにしてもよい。また、上記プログラムは、前述した機能の一部を実現するためのものであってもよい。さらに、前述した機能をコンピュータシステムにすでに記録されているプログラムとの組み合わせで実現できるもの、いわゆる差分ファイルであってもよい。
【００３７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００３８】
１００  移動通信システム
１１０  エリア情報送信装置
１３０  エリア情報送信サーバ
１３１  エリア情報格納部
１３２  位置登録要求受信部
１３３  判定部
１３４  エリア情報抽出部
１３５  エリア情報出力部
１４０  移動通信端末
１５０  基地局装置
１６０  イベント開催施設
【図１】
2010245867.tif 000003
【図２】
2010245867.tif 000004
【図３】
2010245867.tif 000005
【図４】
2010245867.tif 000006